(57)【要約】【課題】食用乾燥板海苔の収納、保管及び、取出して使用するに便利な容器を提供する。【解決手段】板海苔を収納、排出する矩形の内箱と、この内箱を格納する同じく矩形の外箱からなり、上端縁周部には周知の係合部で合体の冠着型で容器内を密閉する蓋体を設け、内部には乾燥剤を収納する乾燥剤格納部を形成したことを特徴とする収納容器。【選択図】図３
2010116206.tif 000002
【特許請求の範囲】
【請求項１】
内部に乾燥剤の格納部を形成し、冠着、密閉できる蓋体を設け、内壁面には軸受けを装着した外箱と、上部には食用乾燥板海苔を挿入する開口を設け、押羽根を下面に装着した上蓋をちょう番を介して取り付け更に、内壁面にはこの上蓋を係止する戸当りを配置し、底部には棚部分を残し板海苔を排出する取出し口を設ける他、この取出し口に対面して、中心軸からなるローラーを壁面に設けた支持板の受軸に嵌め合わせ実装し且つ、外壁には外箱の軸受けと嵌合する回転軸を装着した内箱からなり、内箱を外箱に格納し板海苔の排出装置を形成したことを特徴とする海苔の容器。
【発明の詳細な説明】
【技術分野】
【０００１】  本発明は、食用乾燥板海苔の収納容器に関する。
【背景技術】
【０００２】  通常、食用乾燥海苔の形状は板状で、六つきり、八つ切りなどに代表されるように使用する用途に応じて正方形、又は、長方形の規格サイズの他、きざみ海苔と呼ぶ千切で小片形状のものがあり、それぞれの容器に収納されている。
【発明の開示】
【発明が解決しようとする課題】
【０００３】  （イ）海苔は、高温や、多湿な外気に晒されると劣化、変質しやすく、品質保持のため乾燥状態を保つ密閉容器で保存することが好ましく、管理上の配慮も必要とする。
（ロ）管理が不十分であれば、容器に収納した複数の乾燥板海苔は、互いが重なりあったり、くっ付きあったりするなどの状態で、個別に取出すには不便なことが往々にしてあった。本発明は、以上の問題点を解決するためになされたものである。
【課題を解決するための手段】
【０００４】  内部に乾燥剤の格納部を形成し、冠着、密閉できる蓋体を設け、内壁面には軸受けを装着した外箱と、上部には食用乾燥板海苔を挿入する開口を設け、押羽根を下面に装着した上蓋をちょう番を介して取り付け更に、内壁面にはこの上蓋を係止する戸当りを配置し、底部には棚部分を残し板海苔を排出する取出し口を設ける他、この取出し口に対面して、中心軸からなるローラーを壁面に設けた支持板の受軸に嵌め合わせ実装し且つ、外壁には外箱の軸受けと嵌合する回転軸を装着した内箱からなり、内箱を外箱に格納し板海苔の排出装置を形成したことを特徴とする海苔の容器。
【発明の効果】
【０００５】  収納した海苔を簡単な操作で取出しができ、乾燥状態の保持によって品質劣化を防ぎ、板海苔の保存においても、相互に重なり合い、くっついてしまうような状態にならず一枚、一枚がきれいに取出せる。
【発明を実施するための最良の形態】
【０００６】  以下、本発明の実施の形態を説明する。
（イ）本発明の請求項１の容器の実施例を、図１、図２、図３、図４に示す。
（ロ）板海苔を収納、排出する矩形の内箱（１）と、この内箱（１）を格納する同じく矩      形の外箱（２）を組合せた本体からなり、上端縁周部には周知の係合部（３）で合      体の冠着型で容器内を密閉する蓋体（４）を設け、内部には乾燥剤格納部（５）を      形成する。
（ハ）外箱（２）の壁面どうしが向い合う定点に一対の円筒形の軸受け（６）を設け、内      箱（１）の外壁面の定点にも一対の回転軸（７）を設け、互いを嵌め合わせる。こ      れにより、内箱（１）は外箱（２）内で回転軸（７）を中心軸として時計回りに転      回する構造となる。
（ニ）内箱（１）の上部は、海苔を挿入するために全面開口とし、底辺は棚部（８）を両      端に残し矩形に切り欠いた取出し口（９）を設け収納した海苔の排出口とする。
（ホ）又、内箱（１）の一の上端部にちょう番（１０）により上蓋（１１）を取付ける。      この上蓋（１１）は、収納した複数の海苔を底部方向に圧押するため、下面に弾力      性のある複数の押羽根（１２）を設ける一方、内箱（１）の内壁面の向い合う定点      に一対の戸当り（１３）を取付け、上下に滑動する上蓋（１１）を拘束し係止装置      とすることで上述の押羽根（１２）と相乗し、収納した海苔を効果的に底部に圧迫      、配置する構造となる。尚、押羽根（１２）は、収納する海苔の状況に応じ形状を      変更し、数量を適宜増減してもよく、戸当り（１３）についても状況に応じ複数対      設けてもよい。
（ヘ）内箱（１）の取出し口（９）に接する両壁面の向い合う定点に一対の軸受けを有す      る支持板（１４）を設け、中心軸（１５）からなるローラー（１６）を嵌め合せ収      納した海苔の排出機能を形成する。尚、ローラー（１６）の端部には、回転操作用      のツマミ（１７）を装着し時計回りに操作をする。
（ト）このローラー（１６）は内箱（１）の取出し口（９）に面し、底辺面より若干迫り      上がった位置で、ローラー（１６）の回転方向とは反対にある棚部に接近させ取り      付け、上述の上蓋（１１）で圧押された海苔と常時接触する状態を形成する。又、      ローラー（１６）は、円筒形、多角形いずれでもよく、表面は、接触する海苔との      摩擦抵抗が大きい素材で形成すると一層の効果が期待できる。
本発明は、以上のような構成で以下、本発明の使用方法を説明する。
（イ）内箱（１）の上蓋（１１）を開け複数の板海苔を収納する。  尚、収納する海苔の      配置は、ローラー（１６）の回転方向の壁面に近接するのが好ましい。
（ロ）上蓋（１１）を戻し底部方向に押し込み、収納した板海苔を底部へ導く。
このとき、上蓋（１１）の下面にあり弾力性に富む押羽根（１２）の一方は、海苔      の先端部を棚部（８）へ圧押し、他方は、ローラー（１６）の胴体部に中央部位を      程よく圧接し、後述する排出機能を満足さす。
（ハ）圧迫された海苔は反発し、上蓋（１１）は上部へ浮上する力を受けるが、内壁に設      けた戸当りで（１３）で係止させ、板海苔の圧押、圧接状態を継続する。
（ニ）外箱（２）内で内箱（１）を、回転軸（７）を中心に反転させ、取出し口（９）部      分及び、ローラー（１６）部分を露呈させる。
（ホ）ツマミ（１７）の操作で、ローラー（１６）に時計回りに回転を与えると、壁面と      ぶつかり、更には、押羽根（１２）の圧押力で固定された先端部は停滞するため、      ローラー（１６）と圧接、接触する中央部位は回転力から生じる押力に屈し、滑動      し、取出し口（９）部分で、湾曲、弓なりの形態となり排出されることになる。
（ヘ）本説明では、ツマミ（１７）の操作による、ローラー（１６）の回転方向を反時計      回りとして排出状況を説明したが、ローラー（１６）を対面する棚部（８）へ近接      取り付けることで時計回りでも支障なく機能し又、海苔の形状によっては、ローラ      ー（１６）を取出し口（９）の中心付近に配置することで、時計回り、反時計回り      のいずれの操作も任意となり両方向への排出が可能となる。
【図面の簡単な説明】
【０００７】
【図１】本発明の斜視図
【図２】本発明の断面図
【図３】本発明の断面図
【図４】本発明の一部分の斜視図
【符号の説明】
【０００８】  １          内箱
２          外箱
３          係合部
４          蓋体
５          格納部
６          軸受け
７          回転軸
８          棚部
９          取出し口
１０          ちょう番
１１          上蓋
１２          押羽根
１３          戸当り
１４          支持板
１５          中心軸
１６          ローラー
１７          ツマミ
【図１】
2010116206.tif 000003
【図２】
2010116206.tif 000004
【図３】
2010116206.tif 000005
【図４】
2010116206.tif 000006